(57)【要約】【課題】電気掃除機の小型化に寄与する回転ブラシを提供するものである。【解決手段】回転軸部２と、前記回転軸部２の外周に配されたブラシ基部１と、前記ブラシ基部１の外周に略放射状に設けられたブラシ束３と、清掃対象物の種類を検出する圧電素子６を備え、前記圧電素子６を前記ブラシ基部１の一部もしくは全体に配置したもので、回転ブラシ１０とは別に、検出センサを別途必要とせず、省スペース化の効果を得ることができる。【選択図】図１
2019118665.tif 000002
【特許請求の範囲】
【請求項１】
回転軸部と、前記回転軸部の外周に配されたブラシ基部と、前記ブラシ基部の外周に略放射状に設けられたブラシ束と、清掃対象物の種類を検出する検出センサを備え、前記検出センサを前記ブラシ基部の一部もしくは全体に配置した回転ブラシ。
【請求項２】
検出センサを圧電素子で構成した請求項１に記載の回転ブラシ。
【請求項３】
検出センサをスイッチで構成した請求項１に記載の回転ブラシ。
【請求項４】
請求項１〜３のいずれか１項に記載の回転ブラシを用いた電気掃除機。
【発明の詳細な説明】
【技術分野】
【０００１】
本発明は、電気掃除機の床吸込み具などに使用される回転ブラシと、それを用いた電気掃除機に関するものである。
【背景技術】
【０００２】
従来のこの種の回転ブラシは、床吸込み具に内蔵されたブラシ駆動モータの回転トルクを得るための回転軸部と、床面の塵埃を掻き上げるためのブラシ束が取り付けられたブラシ基部から構成されている。また、従来の電気掃除機は、清掃対象物の種類を判別する検出センサを備え、検出センサで検出された清掃対象物の種類，状態に応じて回転ブラシの回転を制御して清掃効率の向上を図っていた（例えば、特許文献１参照）。
【先行技術文献】
【特許文献】
【０００３】
【特許文献１】特開２００３−１６９７６９号公報
【発明の概要】
【発明が解決しようとする課題】
【０００４】
しかしながら、前記特許文献１に記載された従来の回転ブラシや電気掃除機の構成では、清掃対象物の種類を判別するための検出センサを、回転ブラシとは別に設けているので、省スペース化の妨げになるという課題を有していた。
【０００５】
本発明は、前記従来の課題を解決するもので、省スペース化を図り電気掃除機の小型化に寄与する回転ブラシと、小型かつ軽量な電気掃除機を提供することを目的とする。
【課題を解決するための手段】
【０００６】
前記従来の課題を解決するために、本発明の回転ブラシは、回転軸部と、前記回転軸部の外周に配されたブラシ基部と、前記ブラシ基部の外周に略放射状に設けられたブラシ束と、清掃対象物の種類を検出する検出センサを備え、前記検出センサを前記ブラシ基部の一部もしくは全体に配置したもので、回転ブラシとは別に検出センサを別途必要としないので、省スペース化が図れ、電気掃除機の小型化に寄与することができる。
【０００７】
また、本発明の電気掃除機は、請求項１〜３のいずれか１項に記載の回転ブラシを用いたもので、検出センサを回転ブラシ以外のところに設ける必要がないので、電気掃除機を小型化できると共に、検出センサで検出された清掃対象物の種類に応じて回転ブラシや電気掃除機に搭載された電動送風機の回転数を制御するようにすれば、清掃仕上がり、清掃効率の向上を図ることができる。
【発明の効果】
【０００８】
本発明の回転ブラシは、回転ブラシとは別に検出センサを別途必要としないので、省スペース化が図れ、電気掃除機の小型化に寄与すると共に、この回転ブラシを電気掃除機に使用することで、小型かつ軽量な電気掃除機を提供することができる。
【図面の簡単な説明】
【０００９】
【図１】本発明の実施の形態１における回転ブラシの断面図
【図２】同回転ブラシの動作を説明するための断面図
【図３】同回転ブラシの他の例を示す断面図
【発明を実施するための形態】
【００１０】
第１の発明は、回転軸部と、前記回転軸部の外周に配されたブラシ基部と、前記ブラシ基部の外周に略放射状に設けられたブラシ束と、清掃対象物の種類を検出する検出センサを備え、前記検出センサを前記ブラシ基部の一部もしくは全体に配置したもので、回転ブラシとは別に検出センサを別途必要としないので、省スペース化が図れ、電気掃除機の小型化に寄与することができる。
【００１１】
第２の発明は、特に、第１の発明の検出センサを圧電素子で構成したもので、回転ブラシの大きさを変えることなく組み立ても容易である。
【００１２】
第３の発明は、特に、第１の発明の検出センサをスイッチで構成したもので、回転ブラシの大きさを変えることなくまた安価に構成することができる。
【００１３】
第４の発明に係る電気掃除機は、請求項１〜３のいずれか１項に記載の回転ブラシを用いたもので、検出センサを回転ブラシ以外のところに設ける必要がないので、電気掃除機を小型化できると共に、検出センサで検出された清掃対象物の種類に応じて回転ブラシや電気掃除機に搭載された電動送風機の回転数を制御するようにすれば、清掃仕上がり、清掃効率の向上を図ることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における回転ブラシの断面図、図２は、同回転ブラシの動作を説明するための断面図である。
【００１６】
図１において、本実施の形態における回転ブラシ１０は、回転軸部２と、前記回転軸部２の外周に配されたブラシ基部１と、前記ブラシ基部１の外周にブラシ基部外殻軸５を介して回動自在に設けられたブラシ基部外殻４と、ブラシ基部外殻４に植毛されたブラシ束３と、清掃対象物の種類などを検出するための検出センサとしての圧電素子６を備えている。圧電素子６は、ブラシ基部１の一部もしくは全体に配置されている。
【００１７】
以上のように構成された回転ブラシ１０について、以下その動作、作用を説明する。
【００１８】
まず、図２に示すように、回転ブラシ１０を紙面に対して床面Ｒ１上を時計回りに回転させる。このとき、床面Ｒ１より抵抗を受けるブラシ束３が取り付けられたブラシ基部外殻４が、ブラシ基部外殻軸５を中心に回転ブラシ１０の回転方向とは逆に傾くことで、前記ブラシ基部外殻４に取り付けられた圧電素子６が変形する。圧電素子６が変形することで電圧が発生する。
【００１９】
例えば、床面が絨毯の場合は、ブラシ束３が受ける抵抗が大きくなるので圧電素子６が大きく変形しその分出力電圧が大きくなる。一方床面がフローリングの場合は、ブラシ束３が受ける抵抗が小さいので圧電素子６の変形が小さくなりその分出力電圧が小さくなる。このように圧電素子６の出力電圧の変化を検知することで清掃対象物の種類を判別することができる。
【００２０】
以上のように、本実施の形態においては、ブラシ基部１の一部、もしくは全体を圧電素子６で構成することにより、清掃対象物の検出を回転ブラシ１０で行えるので、省スペース化の効果を得ることができる。
【００２１】
なお、上記実施の形態では、隣り合うブラシ基部外殻４間に配した圧電素子６で清掃対象物の種類を判定するようにしたが、図３に示すように、ブラシ基部外殻４の一部を、ブラシ基部外殻４の傾きによってクリックされるスイッチ７を配置することでも、清掃対象物の種類の検出を行えるので、上記実施の形態同様省スペース化の効果を得ることができる。
【００２２】
また、特に図示しないが、電気掃除機に圧電素子６の出力電圧に応じて、あるいはスイッチ７の入り切りに応じて、回転ブラシ１０の回転数あるいは／及び電気掃除機に搭載された電動送風機の回転数を制御する制御手段を設ければ、清掃対象物の種類に応じて効率的な掃除を行ことができる電気掃除機を提供することができる。また、回転ブラシ１０以外の部分に清掃対象物の種類の検出する検出センサを設ける必要がないので、小型かつ軽量な電気掃除機を提供することができる。
【産業上の利用可能性】
【００２３】
以上のように、本発明にかかる回転ブラシは、清掃対象物の検出を回転ブラシで行うため、回転ブラシとは別に検出センサを別途必要とせず、省スペース化が可能となり、従来の電気掃除機より小型かつ軽量な電気掃除機を提供することが可能となるので、家庭用、および業務用の電気掃除機をはじめとして、様々な環境において使用される電気掃除機にも適用できる。
【符号の説明】
【００２４】
１  ブラシ基部
２  回転軸部
３  ブラシ束
４  ブラシ基部外殻
５  ブラシ基部外殻軸
６  圧電素子（検出センサ）
７  スイッチ（検出センサ）
１０  回転ブラシ
Ｒ１  床面
【図１】
2019118665.tif 000003
【図２】
2019118665.tif 000004
【図３】
2019118665.tif 000005